(57)【要約】      （修正有）【課題】断熱管路における管路の分岐部や操作弁介設箇所のように、断熱部材の着脱が必要な箇所に使用するために、製造容易で、且つ管路への着脱作業が容易である管路保護カバーを提供する。【解決手段】繊維状断熱材１１，２１を防水シート１２，２２で被覆した布団体を立体縫合した管路保護カバーであって、適宜な横幅で前後方向に外膨出湾曲形状とした主被覆部１と、主被覆部１の両側に設けた弧状の端縁被覆部２とを備え、主被覆部１の前後端を重ね合わせ部分とし、重ね合わせ部分の一方の端縁に連結片３ａ，３ｂを設けると共に、連結片３ａ，３ｂの端縁及び前記主被覆部１の他方端表面に面ファスナー１５，３１ａ，３１ｂを設けてなる。【選択図】図１
0003196516.tif 000002
【実用新案登録請求の範囲】
【請求項１】
繊維状断熱材を防水シートで被覆した布団体を立体縫合した管路保護カバーであって、適宜な横幅で前後方向に外膨出湾曲形状とした主被覆部と、主被覆部の両側に設けた弧状の端縁被覆部とを備え、主被覆部の前後端を重ね合わせ部分とし、重ね合わせ部分の一方の端縁に連結片を設けると共に、連結片の端縁及び前記主被覆部の他方端表面に面ファスナーを設けてなることを特徴とする管路保護カバー。
【請求項２】
主被覆部に設けた面ファスナーを、主被覆部の左右中心の前後方向縦長に設け、主被覆部端縁の連結片接続箇所を左右の傾斜肩辺に形成すると共に、前記連結片を傾斜肩辺から他方端表面に重ね合わせた際に、前記中心面ファスナーと対応する位置を連結片の端縁とし、当該端縁に前記中心面ファスナー及び連結片間を一体とする面ファスナーを設けてなる請求項１記載の管路保護カバー。
【請求項３】
繊維状断熱材に生体溶解性ファイバーを使用し、防水シートとしてポリテトラフロロエチレンの押し出しフィルムを多方向に積層して高温下で一体化したシートを使用してなる請求項１又は２記載の管路保護カバー。
【請求項４】
主被覆部及び端縁被覆部の表裏を、各々ゴアテックス製テープで覆い、パイピング縫合で形成し、更に前記テープ部分を重ね合わせて連結縫合してなる請求項１乃至３記載の何れかの管路保護カバー。
【考案の詳細な説明】
【技術分野】
【０００１】
本考案は、各種工場内や発電所内で、管路における熱エネルギー損失を防止するために採用されている断熱管路に装着される管路保護カバーに関するものである。
【背景技術】
【０００２】
断熱管路の途中に設けられたフランジ部分や三叉路部分やバルブ介設箇所等のように、不定形で断熱が必要である被覆対象箇所には、管路保護カバーが装着されており、従前より種々の管路保護カバーが提案されている。
【０００３】
例えば特許文献１（特開２０１１−７５０８１号公報図９）には、被覆時に三方が開口し、且つ不定形被覆対象に対応するために、被覆部分を縦二分割に形成し、且つ底辺部分で連結して一体としたもので、発泡ゴム断熱材を防水布で被覆してなる管路保温部材が開示されている。
【０００４】
特許文献２（登録実用新案第３１５０３７２号公報図３）には、同様の被覆部二分割構成を採用し、防水布（外被覆布）にポリテトラフロロエチレン（ＰＴＦＥ）の押し出しフィルムを多方向に積層して高温下で一体化したシート材を採用した管路保護カバーが開示されている。
【０００５】
特許文献３（登録実用新案第３１８３３６１号公報）にも同様に被覆部二分割構成を採用し、表面被覆布にフッ素コーティングガラスクロスを使用し、内側被覆布にガラスクロスを使用し、断熱材としてグラスファイバー不織布にシリカエアロジェルを含浸させた撥水断熱シートを雨水や結露に対する耐久力を高めた管路保護カバーが開示されている。
【先行技術文献】
【特許文献】
【０００６】
【特許文献１】特開２０１１−７５０８１号公報。
【特許文献２】登録実用新案第３１５０３７２号公報。
【特許文献３】登録実用新案第３１８３３６１号公報。
【考案の概要】
【考案が解決しようとする課題】
【０００７】
管路保護カバーは、複雑な形状の管路の分岐部分全体をカバーするために、被覆部の二分割構造が採用されており、且つ全体を一体に形成しているもので、その製造が煩瑣であると共に、管路への装着においても被覆部の分割面部分をきっちりと合わせて装着する必要があり、装着作業もやや煩瑣である。
【０００８】
そこで本考案は、製造容易で、且つ管路への着脱作業が容易である新規な管路保護カバーを提案したものである。
【課題を解決するための手段】
【０００９】
本考案の請求項１記載に係る管路保護カバーは、繊維状断熱材を防水シートで被覆した布団体を立体縫合した管路保護カバーであって、適宜な横幅で前後方向に外膨出湾曲形状とした主被覆部と、主被覆部の両側に設けた弧状の端縁被覆部とを備え、主被覆部の前後端を重ね合わせ部分とし、重ね合わせ部分の一方の端縁に連結片を設けると共に、連結片の端縁及び前記主被覆部の他方端表面に面ファスナーを設けてなることを特徴とするものである。
【００１０】
而して前記の管路保護カバーは、直管の断熱処置に施された管路において、直管処置ができない分岐部や操作弁介設箇所のように三方に開口部を必要とする箇所に使用するもので、分岐管や操作弁の操作部が突出する部分の反対側から主被覆部を被せて、主被覆部の両端を、分岐管や操作弁の操作部が外部に突出するように重ね合わせ、連結片を重ね合わせた他方端の主被覆部の面ファスナーに絡着して管路装着を行うものである。
【００１１】
従って前記の管路保護カバーは、布団体であるために、適宜な柔軟性を備えているので、主被覆部を管路に締め付け状態で装着することが可能であり、特に位置合わせ等を行うことなく容易に管路への着脱ができるものである。
【００１２】
また本考案の請求項２記載に係る管路保護カバーは、特に主被覆部に設けた面ファスナーを、主被覆部の左右中心の前後方向縦長に設け、主被覆部端縁の連結片接続箇所を左右の傾斜肩辺に形成すると共に、前記連結片を傾斜肩辺から他方端表面に重ね合わせた際に、前記中心面ファスナーと対応する位置を連結片の端縁とし、当該端縁に前記中心面ファスナー及び連結片間を一体とする面ファスナーを設けてなるものである。
【００１３】
従って連結片を肩掛け状態で左右中心側に引っ張って一方の連結片を中心面ファスナーに絡着し、更に他方の連結片の端縁を重ね合わせて絡着するもので、たすき掛け方向で引っ張って装着するので、主被覆部の締め付けと同時に端縁被覆部の締め付けも行うことになる。
【００１４】
本考案の請求項３記載に係る管路保護カバーは、繊維状断熱材に生体溶解性ファイバーを使用し、防水シートとしてポリテトラフロロエチレンの押し出しフィルムを多方向に積層して高温下で一体化したシートを使用してなるもので、特に繊維状断熱材に従前のようにバインダーを採用しなくとも、縫合個所から繊維微細片が飛散しても人体への影響がない。
【００１５】
また本考案の請求項４記載に係る管路保護カバーは、主被覆部及び端縁被覆部の表裏を、各々ゴアテックス製テープで覆い、パイピング包装で形成し、更に前記テープ部分を重ね合わせて連結縫合してなるもので、縫合個所が二重構造となり、縫合個所から繊維微細片の飛散を抑止するものである。
【考案の効果】
【００１６】
本考案の構成は上記のとおりで、装着対象箇所に保護カバーを被せ、締め付けるようにして面ファスナー部分で連結するという簡単な作業で装着することができ、その着脱作業性を格段に向上させたものである。
【図面の簡単な説明】
【００１７】
【図１】本考案の実施形態の全体斜視図。
【図２】同正面図。
【図３】同使用状態の説明図。
【図４】同要部断面図（被覆部縫合個所）。
【図５】同要部断面図（中心面ファスナー縫合個所）。
【考案を実施するための形態】
【００１８】
次に本考案の実施形態について説明する。実施形態に示した管路保護カバーは、布団体である主被覆部１及び端縁被覆部２と、主被覆部１の所定箇所に連結片３ａ，３ｂを縫合連結したものである。
【００１９】
主被覆部１は、繊維状の断熱材１１を防水シート１２で被覆して所定の形状に立体縫合したもので、断熱材１１は、生体溶解性ファイバー（モーガン・アドバンスド・マテリアルズ社製スーパーウール・登録商標）で形成した積層シートであり、防水シート１２は、ポリテトラフロロエチレン（ＰＴＦＴ）の押し出しフィルムを多方向に積層して高温下で一体化してシート状としたものである。また、防水シート１２の端縁は、ゴアテックス製のテープ１３で覆い、パイピング縫合で形成したものである。
【００２０】
また端縁被覆部２も同様の材料で、断熱材２１を防水シート２２で被覆し、端縁はテープ２３を使用して、パイピング縫合で形成したものである。
【００２１】
前記主被覆部１は、装着対象に応じた所定の幅で且つ所定の長さを備えたものであるが、前後方向（長さ方向）に外膨出湾曲形状とし、前方の端縁（便宜的に図２を正面図とみて前後を定義する）の中央部分を凹状部１４に形成し、左右中心に縦長の面ファスナー（ポリエステル樹脂製）１５に設けたもので、特に図５に示すようにゴアテックス布１６を介在して前記面ファスナー１５を縫合したものである。更に後方の端縁も中心部分に凹状部１７を形成し、その左右を傾斜肩辺部１８に形成したものである。
【００２２】
端縁被覆部２は、弧状に形成して主被覆部１の両側に一体に設けるもので、テープ１３，２３部分を重ね合わせて主被覆部１と連結縫合してなる。
【００２３】
連結片３ａ，３ｂは、それぞれ主被覆部１の傾斜肩辺部１８に縫合連結したもので、中心側を短辺とし、外側を長辺形状とし、主被覆部１の前後端を重ね合わせて管路に装着した際に、前記の面ファスナー１５と対応する箇所を端縁として面ファスナー３１ａ，３１ｂを設けたもので、特に一方の面ファスナー３１ａは、連結片３ａの表裏部分に設けてなるものである。
【００２４】
而して前記の管路保護カバーは、管路Ａにおける分岐部や操作弁介設箇所のように三方に開口部を必要とする箇所に使用するもので、例えば図３に示すように分岐管Ｂや操作弁の操作部が突出する部分を上方と仮定すると、下方側から主被覆部１を被せて、主被覆部の両端（上端）を、分岐管Ｂや操作弁の操作部が外部に突出するように重ね合わせる。
【００２５】
同時に端縁被覆部２の一部も重なり合い、管路Ａに密着される。このような状態で、連結片３ａを肩掛け状態で中心側に引っ張って面ファスナー１５，３１ａを互いに絡着して連結し、更に他方の連結片３ｂを同様に肩掛け状態で中心側に引っ張って、面ファスナー３１ａ，３１ｂを互いに絡着して連結し、管路に装着するものである。
【００２６】
従って主被覆部１及び端縁被覆部２によって管路分岐部が断熱被覆されるものであり、必要に応じ着脱が可能となるものである。勿論管路Ａの直管部分は被着脱構造で適宜断熱処理を施しておくものである。
【符号の説明】
【００２７】
１      主被覆部
１１    断熱材
１２    防水シート
１３    テープ
１４    凹状部
１５    面ファスナー
１６    ゴアテックス布
１７    凹状部
１８    傾斜肩辺部
２      端縁被覆部
２１    断熱材
２２    防水シート
２３    テープ
３ａ，３ｂ  連結片
３１ａ，３１ｂ    面ファスナー
【図１】
0003196516.tif 000003
【図２】
0003196516.tif 000004
【図３】
0003196516.tif 000005
【図４】
0003196516.tif 000006
【図５】
0003196516.tif 000007
【手続補正書】
【提出日】平成27年1月16日(2015.1.16)
【手続補正１】
【補正対象書類名】実用新案登録請求の範囲
【補正対象項目名】全文
【補正方法】変更
【補正の内容】
【実用新案登録請求の範囲】
【請求項１】
繊維状断熱材を防水シートで被覆した布団体を立体縫合した管路保護カバーであって、適宜な横幅で前後方向に外膨出湾曲形状とした主被覆部と、主被覆部の両側に設けた弧状の端縁被覆部とを備え、主被覆部の前後端を重ね合わせ部分とし、重ね合わせ部分の一方の端縁に連結片を設けると共に、連結片の端縁及び前記主被覆部の他方端表面に面ファスナーを設けてなることを特徴とする管路保護カバー。
【請求項２】
主被覆部に設けた面ファスナーを、主被覆部の左右中心の前後方向縦長に設け、主被覆部端縁の連結片接続箇所を左右の傾斜肩辺に形成すると共に、前記連結片を傾斜肩辺から他方端表面に重ね合わせた際に、前記主被覆部の面ファスナーと対応する位置を連結片の端縁とし、当該端縁に前記主被覆部の面ファスナー及び連結片間を一体とする面ファスナーを設けてなる請求項１記載の管路保護カバー。
【請求項３】
繊維状断熱材に生体溶解性ファイバーを使用し、防水シートとしてポリテトラフロロエチレンの押し出しフィルムを多方向に積層して高温下で一体化したシートを使用してなる請求項１又は２記載の管路保護カバー。
【請求項４】
主被覆部及び端縁被覆部の表裏を、各々ＲＴＦＥフィルムとポリウレタンポリマーを複合化して製出したテープで覆い、パイピング縫合で形成し、更に前記テープ部分を重ね合わせて連結縫合してなる請求項１乃至３記載の何れかの管路保護カバー。
【手続補正２】
【補正対象書類名】明細書
【補正対象項目名】００１２
【補正方法】変更
【補正の内容】
【００１２】
また本考案の請求項２記載に係る管路保護カバーは、特に主被覆部に設けた面ファスナーを、主被覆部の左右中心の前後方向縦長に設け、主被覆部端縁の連結片接続箇所を左右の傾斜肩辺に形成すると共に、前記連結片を傾斜肩辺から他方端表面に重ね合わせた際に、前記主被覆部の面ファスナーと対応する位置を連結片の端縁とし、当該端縁に前記主被覆部の面ファスナー及び連結片間を一体とする面ファスナーを設けてなるものである。
【手続補正３】
【補正対象書類名】明細書
【補正対象項目名】００１５
【補正方法】変更
【補正の内容】
【００１５】
また本考案の請求項４記載に係る管路保護カバーは、主被覆部及び端縁被覆部の表裏を、各々テープ（ゴアテックス製：登録商標）で覆い、パイピング包装で形成し、更に前記テープ部分を重ね合わせて連結縫合してなるもので、縫合個所が二重構造となり、縫合個所から繊維微細片の飛散を抑止するものである。